(57)【要約】【課題】ペンキ中に浸漬すべき刷毛部分の高さ位置を簡単に調節でき、刷毛持手部分の着脱が容易で、複数のペンキ刷毛を簡単に交換できるペンキ刷毛ホルダーを提供する。【解決手段】ペンキ容器１０内にペンキ刷毛１の刷毛持手部分１１ａを位置させて垂下挟持する挟持部材２と、上記挟持部材２と相互に固着されてペンキ容器１０の上縁部１０ａに装着される装着手段３とから構成され、上記挟持部材２は弾性変形可能な材料により平面視で略コ字状に形成され、そのコ字状の開放端部２ａがペンキ容器１０の内側に向けて先窄まり状をなし、かつ、その開放端部２ａが前記刷毛持手部分１１ａを当該開放端側よりスライド自在に案内する拡開案内端部として形成される。【選択図】図１
0003172968.tif 000002
【実用新案登録請求の範囲】
【請求項１】
ペンキ容器（１０）内にペンキ刷毛（１）の刷毛持手部分（１１ａ）を位置させて垂下挟持する挟持部材（２）と、上記挟持部材（２）と相互に固着されてペンキ容器（１０）の上縁部（１０ａ）に装着される装着手段（３）とから構成され、上記挟持部材（２）は弾性変形可能な材料により平面視で略コ字状に形成され、そのコ字状の開放端部（２ａ）がペンキ容器（１０）の内側に向けて先窄まり状をなし、かつ、その開放端部（２ａ）が前記刷毛持手部分（１１ａ）を当該開放端側よりスライド自在に案内する拡開案内端部として形成された、ことを特徴とするペンキ刷毛ホルダー。
【請求項２】
請求項１に記載したペンキ刷毛ホルダーにおいて、
前記装着手段（３）は、ペンキ容器（１０）の上縁部（１０ａ）に装着される架着部材（４）を備え、上記架着部材（４）は弾性変形可能な材料により側面視で略コ字状に形成され、そのコ字状の開放端部（４ａ）が下方に向けて先窄まり状をなし、かつ、その開放端部（４ａ）が前記ペンキ容器（１０）の上縁部（１０ａ）を当該開放端側よりスライド自在に案内する拡開案内端部として形成された、ことを特徴とするペンキ刷毛ホルダー。
【請求項３】
請求項１又は請求項２に記載したペンキ刷毛ホルダーにおいて、
前記挟持部材（２）と前記装着手段（３）との間に横長の基板部材（６）を介在させて相互に固着して構成し、上記基板部材（６）に複数の挟持部材（２）を並設した、ことを特徴とするペンキ刷毛ホルダー。
【請求項４】
請求項３に記載したペンキ刷毛ホルダーにおいて、
前記基板部材（６）を弾性変形可能な可撓性材料で構成した、ことを特徴とするペンキ刷毛ホルダー。
【考案の詳細な説明】
【技術分野】
【０００１】  本考案は、ペンキを塗布するための刷毛（以下、「ペンキ刷毛」という）をペンキ収容バケツ等（以下「ペンキ容器」という）内に一時的に保持するためのペンキ刷毛ホルダーに関する。
【背景技術】
【０００２】  ペンキの塗布作業においては、作業途中の休憩時間のように、比較的長時間に亘り塗布作業を中断することがある。そのような場合には、上記ペンキ刷毛の刷毛部分が乾燥して固まり、継続して塗布作業をすることが出来なくなる。そのような事態を防止するために当該ペンキ刷毛を洗い油やペンキの中に浸漬しておくのが一般的である。
従来では、この種の刷毛浸漬手段として例えば特許文献１に示すもの（以下、「従来例」という）が知られている。この従来例は、ペンキ容器の上縁部に棒材を掛け渡し、その棒材にペンキ刷毛を紐等でぶら下げて、当該ペンキ刷毛を洗い油やペンキの中に浸漬するように構成されている。
【特許文献１】実開昭６３−１１５４８０号公報
【考案の開示】
【考案が解決しようとする課題】
【０００３】  上記従来例では、以下のような不都合がある。
ペンキ塗布作業の進行につれてペンキ容器内のペンキの残量は徐々に減少し、塗布作業中断時のペンキの残量に応じて、ペンキ中に浸漬する刷毛部分の高さ位置を調節することが必要となるが、それには棒材にペンキ刷毛をぶら下げる紐の長さを、その都度調節しなければならず、それが大変煩わしい。【０００４】  また、高所作業にあっては片手にペンキ容器を持ち、他方の手で手すり等を持って安全に移動する必要があるが、ペンキ容器内にペンキ刷毛を置き残すと、ペンキ刷毛が横転してその取手がペンキで汚れてしまう。そこで通常は口にペンキ刷毛の持手部分（以下、「刷毛持手部分」という）を咥えて移動することとなるが、その際にペンキ刷毛からペンキが滴り落ちて不用意に汚すことがある。そこで上記従来例のように、棒材に紐でペンキ刷毛をぶら下げるのではその着脱が容易でないため実用にならない。【０００５】  さらに、ペンキ塗布作業に際しては、その塗布箇所によって、例えば大、中、小の複数のペンキ刷毛を必要とし、それらを使い分けて使用する必要があるが、上記従来例では、ペンキ刷毛の着脱が容易ではないので、次に使用するペンキ刷毛の交換が容易でない、という問題がある。【０００６】  本考案は上記のような難点を解消するためになされたもので、ペンキの残量に応じてペンキ中に浸漬すべき刷毛部分の高さ位置をワンタッチで調節でき、また、刷毛持手部分の着脱が容易で、かつ、複数のペンキ刷毛を使い分ける際に、それらのペンキ刷毛を簡単に差し替えて交換できるペンキ刷毛ホルダーを提供すること、をその目的とする。
【課題を解決するための手段】
【０００７】  本考案は前記課題を解決するものとして以下のように構成される。
即ち、本考案は、ペンキ容器１０内にペンキ刷毛１の刷毛持手部分１１ａを位置させて垂下挟持する挟持部材２と、上記挟持部材２と相互に固着されてペンキ容器１０の上縁部１０ａに装着される装着手段３とから構成される。上記挟持部材２は弾性変形可能な材料により平面視で略コ字状に形成される。そしてコ字状の開放端部２ａはペンキ容器１０の内側に向けて先窄まり状をなし、かつ、その開放端部２ａが前記刷毛持手部分１１ａを当該開放端側よりスライド自在に案内する滑らかな拡開案内端部として形成される。【０００８】  また、本考案の他の特徴は、上記特徴構成に以下の構成を付加したものである。
即ち、前記装着手段３は、ペンキ容器１０の上縁部１０ａに装着される架着部材４を備える。上記架着部材４は弾性変形可能な材料により側面視で略コ字状に形成される。そしてそのコ字状の開放端部４ａは下方に向けて先窄まり状をなし、かつ、その開放端部４ａは前記ペンキ容器１０の上縁部１０ａを当該開放端側よりスライド自在に案内する拡開案内端部として形成される。【０００９】  本考案はさらに以下の構成を付加したものである。
前記挟持部材２と前記装着手段３との間に横長の基板部材６を介在させて相互に固着して構成し、上記基板部材６に複数の挟持部材２を並設したことを特徴とするものである。【００１０】  本考案はさらに以下の構成を付加したものである。
即ち、前記基板部材６を弾性変形可能な可撓性材料で構成したこと、を特徴とするものである。
【考案の効果】
【００１１】    本考案のペンキ刷毛ホルダーによれば、上記挟持部材２は、刷毛持手部分１１ａを弾性変形可能な部材により挟持側に弾圧付勢するように、平面視で先窄まり状に形成され、当該刷毛持手部分１１ａを上下スライド可能に保持する。これにより、ペンキ容器１０内のペンキの残量Ｈに応じてペンキＰ内に浸漬すべき刷毛部分１１ｂの高さ位置をワンタッチで調節できる。また、上記挟持部材２の開放端部２ａは拡開案内端部として形成され、刷毛持手部分１１ａを当該開放端側よりスライド自在に案内する。これによりペンキ刷毛１０の着脱が容易になる。【００１２】  本考案のペンキ刷毛ホルダー１は、挟持部材２と装着手段３とから構成されており、ペンキ容器１０の平面視形状が円形か多角形か、あるいは矩形のいずれであっても、ペンキ刷毛ホルダー１をペンキ容器１０の上縁部１０ａに装着する事ができる。つまり、ペンキ容器１０の平面視の形状に関係なく必要に応じて複数のペンキ刷毛ホルダー１をペンキ容器１０に装着できるので、実際の塗装作業において複数の刷毛を交換して使用する場合に至便となる。【００１３】  また、本考案の付加構成では、装着手段３が弾性変形可能な材料により形成された架着部材４を備え、この架着部材４は側面視で下方に向けて先窄まり状に形成され、その開放端部４ａはペンキ容器１０の上縁部１０ａを当該開放端側よりスライド自在に案内する拡開案内端部に形成されている。これにより、このペンキ刷毛ホルダー１をペンキ容器１０の上縁部１０ａにワンタッチで装着できる。【００１４】  本考案のさらなる付加構成では、前記挟持部材２と前記装着手段３との間に横長の基板部材６を介在させて相互に固着し、上記基板部材６に複数の挟持部材２を並設したことから、複数のペンキ刷毛１１を使い分けて使用する場合に至便である。
【考案を実施するための最良の形態】
【００１５】  以下、本考案の好ましい実施形態について添付図面を参照しながら詳細に説明する。なお、以下の実施形態では、技術的に好ましい種々の部材が付加されているが、本考案の技術的範囲は、以下の説明において特に限定する旨の記載がない限り、これらの態様に限られるものではない。【００１６】  図１は本考案の第１の実施形態に係るペンキ刷毛ホルダーの側面図で、ペンキ刷毛ホルダー１をペンキ容器１０の上縁部１０ａに装着した状態を示す。このペンキ刷毛ホルダー１は、挟持部材２と装着手段３とから構成される。即ち、ペンキ容器１０内にペンキ刷毛１の刷毛持手部分１１ａを位置させて垂下挟持する挟持部材２と、この挟持部材２をペンキ容器１０の上縁部１０ａに装着する装着手段３とから構成される。【００１７】  図２（Ａ）は上記挟持部材２の平面図である。この挟持部材２は挟持側に弾圧付勢する形状に形成される。即ち、この挟持部材２は弾性変形可能な材料（具体的にはステンレス製の板材）により平面視で略コ字状に形成され。そしてコ字状の開放端部２ａはペンキ容器１０の内側に向けて先窄まり状をなし、これにより刷毛持手部分１１ａを上下スライド可能に弾圧挟持する。つまり、ペンキ容器１０内のペンキＰの残量Ｈに応じてペンキＰ中に浸漬すべき刷毛部分１１ｂの高さ位置を簡単にワンタッチで調節できる。【００１８】  また、上記挟持部材２の開放端部２ａは前記刷毛持手部分１１ａを当該開放端側よりスライド自在に案内する滑らかな拡開案内端部として形成されている。これにより、刷毛持手部分１１ａを当該開放端側よりスライド自在に案内して、ペンキ刷毛１０をワンタッチで挟持させることができる。これにより、ペンキ刷毛の着脱交換が容易になる。なお、この挟持部材２の反開放端側の基端部２ｂは上記装着手段３を構成する架着部材４の内側片部分４ｂにスポット熔接されている。【００１９】  上記装着手段３は下向きに開放端を有するコの字状の架着部材４と、その架着部材４の外側片部分４ａに螺着された固定ネジ５とから構成され、上記架着部材４の内側片部分４ｂには上述したように挟持部材２の基端部２ｂが熔着されている。そして架着部材４の下向きコの字状の開放端内にペンキ容器１０の上縁部１０ａを臨ませ、上記固定ネジ５を締め付けてペンキ容器１０の上縁部１０ａに挟持部材２を固定するように構成される。【００２０】  図２（Ｂ）は本考案の他の実施形態に係るペンキ刷毛ホルダーの要部の拡大側面図である。この実施形態では、装着手段３を構成する下向き開放端を有するコの字状の架着部材４が弾性変形可能なステンレス製の板材により形成されている。そして前記挟持部材２と同様に、その開放端部４ａはペンキ容器１０の上縁部１０ａを当該開放端側よりスライド自在に案内する滑らかな拡開案内端部として形成されている。即ち、開放端側の幅がペンキ容器１０の上縁部１０ａの幅寸法より若干狭くなるように下窄まり状に形成されている。上記ペンキ容器１０の上縁部１０ａは下向きコの字状の開放端内に臨ませ、当該開放端側内にその上縁部１０ａをスライド自在に案内して当該上縁部１０ａを弾圧挟持する。これにより、前記固定ネジ５を省きながらも、ワンタッチで当該ペンキ刷毛ホルダー１をペンキ容器１０の上縁部１０ａに装着する事ができる。【００２１】  図３は本考案の他の実施形態に係るペンキ刷毛ホルダーの平面図である。この実施形態では、前記挟持部材２と前記装着手段３との間に基板部材６を介在させ、その基板部材６の両端部に前記装着手段３を構成する架着部材４の内側片部分４ｂをスポット熔接により固着する。さらに、上記基板部材６の内面側に所定間隔をあけて複数の挟持部材２をスポット熔接により並設する。これにより、複数のペンキ刷毛１１を使い分ける際に、それら複数のペンキ刷毛１１をワンタッチで差し替えて交換することができる。【００２２】  上記の実施形態では、前記装着手段３は、基板部材６の両端部に付設配置したものについて例示したが、基板部材６をペンキ容器１０の上縁部１０ａに沿って確実に装着して固定できるものであれば装着手段３は一つでも差し支えないし、その付設配置する箇所も基板部材６両端部に限らない。【００２３】  図４は本考案の変形例に係るペンキ刷毛ホルダーの平面図で、当該ペンキ刷毛ホルダー１を平面視で円形の容器上縁部１０ａに装着した状態を示す。
この実施形態においては、上記基板部材６は細長いステンレス製の板材で構成され、図示するように、当該基板部材６は平面視で円弧状の容器上縁部１０ａの内面に沿って装着される。この実施形態では、各挟持部材２の開放端側の幅を先窄まり状に形成しなくても良い。即ち、基板部材５を容器上縁部１０ａの内面に沿って円弧状に装着することに伴って、各挟持部材２の開放端側の挟持空間の幅が刷毛持手部分１１ａの挟持寸法よりも先窄まり状に狭くなる。これにより刷毛持手部分１１ａを上下スライド可能に弾圧挟持することができる。その他の点は図３の実施形態と同様に構成されている。【００２４】  上記の実施形態では、装着手段３として下向きに開放端を有するコの字状の架着部材４を備えるものについて例示したが、前記挟持部材２をペンキ容器１０の上縁部１０ａに確実に装着して固定できるものであれば適宜変更を加えて実施することができる。また、上記の実施形態では、弾性変形可能な部材としてステンレス材を用いたものについて例示したが、これはステンレス材が熔接に適し、加工コストが安価である点を考慮したもので、弾性変形可能な部材としてバネ鋼や合成樹脂材で代替することもできる。
【図面の簡単な説明】
【００２５】
【図１】は本考案の実施形態に係るペンキ刷毛ホルダーの側面図である。
【図２】（Ａ）は本考案の実施形態に係る挟持部材の平面図、同図（Ｂ）は本考案の変形例に係る装着手段を有する要部の拡大側面図である。
【図３】は本考案の別の実施形態に係るペンキ刷毛ホルダーの平面図である。
【図４】は本考案のさらに別の実施形態に係るペンキ刷毛ホルダーの平面図である。
【符号の説明】
【００２６】１…ペンキ刷毛ホルダー、２…挟持部材、２ａ…挟持部材の開放端部、３…装着手段、４…架着部材、４…架着部材の開放端部、６…基板部材、１０…ペンキ容器、１０ａ…ペンキ容器の上縁部、１１…ペンキ刷毛、１１ａ…刷毛持手部分。
【図１】
0003172968.tif 000003
【図２】
0003172968.tif 000004
【図３】
0003172968.tif 000005
【図４】
0003172968.tif 000006